(57)【要約】      （修正有）【課題】受注時における連数計算の自動化を可能とする連数取得装置、連数取得方法および連数取得プログラムを提供する。【解決手段】連数取得装置は、記憶部と制御部とを備える。記憶部は、連数計算に用いる、商品のサイズに対するサイズ係数を設定した係数マスタを記憶する係数記憶手段と、前記サイズを含む前記商品の在庫データを記憶する在庫記憶手段と、を備える。制御部は、前記商品の取引単位での受注数を含む受注データを所得する受注取得手段と、前記サイズ係数、前記在庫データおよび前記受注データに基づいて、前記商品の売買単位となる連数を取得する連数取得手段と、を備える。【選択図】図１
2019159717.tif 000002
【特許請求の範囲】
【請求項１】
記憶部と制御部とを備えた連数取得装置であって、
前記記憶部は、
連数計算に用いる、商品のサイズに対するサイズ係数を設定した係数マスタを記憶する係数記憶手段と、
前記サイズを含む前記商品の在庫データを記憶する在庫記憶手段と、
を備え、
前記制御部は、
前記商品の取引単位での受注数を含む受注データを所得する受注取得手段と、
前記サイズ係数、前記在庫データおよび前記受注データに基づいて、前記商品の売買単位となる連数を取得する連数取得手段と、
を備えたことを特徴とする連数取得装置。
【請求項２】
前記サイズは、
前記商品の厚み、幅、および／または、長さであることを特徴とする請求項１に記載の連数取得装置。
【請求項３】
前記サイズ係数は、
前記商品の厚みに対する厚み係数、および、前記商品の長さに対する長さ係数を含み、
前記連数取得手段は、
前記幅を被除数とし、１０００を除数とした場合の商に、前記厚み係数、前記長さ係数および前記受注数を全て乗じた積を前記連数として取得することを特徴とする請求項２に記載の連数取得装置。
【請求項４】
前記記憶部は、
前記商品毎の売上単価を設定した単価マスタを記憶した単価記憶手段、
を更に備え、
前記制御部は、
前記売上単価に前記連数を乗じた値を、前記商品の売上金額として取得する金額取得手段、
を更に備えたことを特徴とする請求項１から３のいずれか一つに記載の連数取得装置。
【請求項５】
前記サイズ係数は、
前記各商品の重量の重量係数を含み、
前記制御部は、
前記重量係数に前記連数を乗じた値を、前記商品の重量として取得する重量取得手段、
を更に備えたことを特徴とする請求項１または２に記載の連数取得装置。
【請求項６】
前記制御部は、
前記連数を含む前記商品の売上データを表示させる売上表示手段、
を更に備えたことを特徴とする請求項１から５のいずれか一つに記載の連数取得装置。
【請求項７】
前記制御部は、
前記在庫データに基づいて、前記取引単位あたりの前記商品の前記サイズを表示させるサイズ表示手段、
を更に備えたことを特徴とする請求項１から６のいずれか一つに記載の連数取得装置。
【請求項８】
記憶部と制御部とを備えた連数取得装置に実行させるための連数取得方法であって、
前記記憶部は、
連数計算に用いる、商品のサイズに対するサイズ係数を設定した係数マスタを記憶する係数記憶手段と、
前記サイズを含む前記商品の在庫データを記憶する在庫記憶手段と、
を備え、
前記制御部で実行させる、
前記商品の取引単位での受注数を含む受注データを所得する受注取得ステップと、
前記サイズ係数、前記在庫データおよび前記受注データに基づいて、前記商品の売買単位となる連数を取得する連数取得ステップと、
を含むことを特徴とする連数取得方法。
【請求項９】
記憶部と制御部とを備えた連数取得装置に実行させるための連数取得プログラムであって、
前記記憶部は、
連数計算に用いる、商品のサイズに対するサイズ係数を設定した係数マスタを記憶する係数記憶手段と、
前記サイズを含む前記商品の在庫データを記憶する在庫記憶手段と、
を備え、
前記制御部において、
前記商品の取引単位での受注数を含む受注データを所得する受注取得ステップと、
前記サイズ係数、前記在庫データおよび前記受注データに基づいて、前記商品の売買単位となる連数を取得する連数取得ステップと、
を実行させるための連数取得プログラム。
【発明の詳細な説明】
【技術分野】
【０００１】
本発明は、連数取得装置、連数取得方法、および、連数取得プログラムに関する。
【背景技術】
【０００２】
特許文献１には、受注者からのオーダに従って、不定量な商材を任意のオーダで購入可能とする構成が開示されている。
【先行技術文献】
【特許文献】
【０００３】
【特許文献１】特開２０１５−２２５５５７号公報
【発明の概要】
【発明が解決しようとする課題】
【０００４】
しかしながら、上記特許文献１記載の発明においては、計量単位に従った受注者からの注文に基づいて、購入量および購入金額を算出することはできますが、受注者からの取引単位に従った注文から、売買単位となる連数を自動計算することはできなかったという課題があった。
【０００５】
本発明は、上記問題点に鑑みてなされたものであって、受注時における連数計算の自動化を可能とする連数取得装置、連数取得方法、および、連数取得プログラムを提供することを目的とする。
【課題を解決するための手段】
【０００６】
上述した課題を解決し、目的を達成するために、本発明に係る連数取得装置は、記憶部と制御部とを備えた連数取得装置であって、前記記憶部は、連数計算に用いる、商品のサイズに対するサイズ係数を設定した係数マスタを記憶する係数記憶手段と、前記サイズを含む前記商品の在庫データを記憶する在庫記憶手段と、を備え、前記制御部は、前記商品の取引単位での受注数を含む受注データを所得する受注取得手段と、前記サイズ係数、前記在庫データおよび前記受注データに基づいて、前記商品の売買単位となる連数を取得する連数取得手段と、を備えたことを特徴とする。
【０００７】
また、本発明に係る連数取得装置において、前記サイズは、前記商品の厚み、幅、および／または、長さであることを特徴とする。
【０００８】
また、本発明に係る連数取得装置において、前記サイズ係数は、前記商品の厚みに対する厚み係数、および、前記商品の長さに対する長さ係数を含み、前記連数取得手段は、前記幅を被除数とし、１０００を除数とした場合の商に、前記厚み係数、前記長さ係数および前記受注数を全て乗じた積を前記連数として取得することを特徴とする。
【０００９】
また、本発明に係る連数取得装置において、前記記憶部は、前記商品毎の売上単価を設定した単価マスタを記憶した単価記憶手段、を更に備え、前記制御部は、前記売上単価に前記連数を乗じた値を、前記商品の売上金額として取得する金額取得手段、を更に備えたことを特徴とする。
【００１０】
また、本発明に係る連数取得装置において、前記サイズ係数は、前記各商品の重量の重量係数を含み、前記制御部は、前記重量係数に前記連数を乗じた値を、前記商品の重量として取得する重量取得手段、を更に備えたことを特徴とする。
【００１１】
また、本発明に係る連数取得装置において、前記制御部は、前記連数を含む前記商品の売上データを表示させる売上表示手段、を更に備えたことを特徴とする。
【００１２】
また、本発明に係る連数取得装置において、前記制御部は、前記在庫データに基づいて、前記取引単位あたりの前記商品の前記サイズを表示させるサイズ表示手段、を更に備えたことを特徴とする。
【００１３】
また、本発明に係る連数取得方法は、記憶部と制御部とを備えた連数取得装置に実行させるための連数取得方法であって、前記記憶部は、連数計算に用いる、商品のサイズに対するサイズ係数を設定した係数マスタを記憶する係数記憶手段と、前記サイズを含む前記商品の在庫データを記憶する在庫記憶手段と、を備え、前記制御部で実行させる、前記商品の取引単位での受注数を含む受注データを所得する受注取得ステップと、前記サイズ係数、前記在庫データおよび前記受注データに基づいて、前記商品の売買単位となる連数を取得する連数取得ステップと、を含むことを特徴とする。
【００１４】
また、本発明に係る連数取得プログラムは、記憶部と制御部とを備えた連数取得装置に実行させるための連数取得プログラムであって、前記記憶部は、連数計算に用いる、商品のサイズに対するサイズ係数を設定した係数マスタを記憶する係数記憶手段と、前記サイズを含む前記商品の在庫データを記憶する在庫記憶手段と、を備え、前記制御部において、前記商品の取引単位での受注数を含む受注データを所得する受注取得ステップと、前記サイズ係数、前記在庫データおよび前記受注データに基づいて、前記商品の売買単位となる連数を取得する連数取得ステップと、を実行させることを特徴とする。
【発明の効果】
【００１５】
本発明によれば、手動での連数計算が不要となるため、業務効率化に寄与することができるという効果を奏する。また、本発明によれば、手動での連数計算による換算ミスを防ぐことができるという効果を奏する。
【図面の簡単な説明】
【００１６】
【図１】図１は、連数取得装置の構成の一例を示すブロック図である。
【図２】図２は、本実施形態における厚み係数の一例を示す図である。
【図３】図３は、本実施形態における長さ係数の一例を示す図である。
【図４】図４は、本実施形態における品種係数の一例を示す図である。
【図５】図５は、本実施形態における連数取得装置の処理の一例を示すフローチャートである。
【図６】図６は、本実施形態における売上データの一例を示す図である。
【図７】図７は、本実施形態における受注明細入力画面の一例を示す図である。
【発明を実施するための形態】
【００１７】
本発明の実施形態を図面に基づいて詳細に説明する。なお、本発明は本実施形態により限定されるものではない。
【００１８】
［１．概要］
まず、本発明の概要を説明する。
【００１９】
フィルム業界または製紙業界においては、伝票上の在庫としての売買を〜本といった単位での商取引があるが、売買単位である単価数量としては「連数」と呼ばれる、サイズ（厚み、幅および／または長さ等）を考慮した数量の概念で取引を行う必要がある。そして、従来、フィルム業界または製紙業界においては、注文時に顧客からの要求に従って、異なるサイズのオーダがくることが多いが、その都度、手作業での連数計算をして連数の入力を行っていたため、業務効率が落ちてしまうだけでなく、換算ミスも発生していた。
【００２０】
そこで、本実施形態においては、フィルム業界または製紙業界において、異なるサイズでオーダされる際に、連数を自動計算することで、連数の換算ミスを防ぐことを可能にしている。
【００２１】
［２．構成］
本実施形態に係る連数取得装置１００の構成の一例について、図１から図４を参照して説明する。図１は、連数取得装置１００の構成の一例を示すブロック図である。
【００２２】
連数取得装置１００は、市販のデスクトップ型パーソナルコンピュータである。なお、連数取得装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２３】
連数取得装置１００は、制御部１０２と通信インターフェース部１０４と記憶部１０６と入出力インターフェース部１０８と、を備えている。連数取得装置１００が備えている各部は、任意の通信路を介して通信可能に接続されている。
【００２４】
通信インターフェース部１０４は、ルータ等の通信装置および専用線等の有線または無線の通信回線を介して、連数取得装置１００をネットワーク３００に通信可能に接続する。通信インターフェース部１０４は、他の装置と通信回線を介してデータを通信する機能を有する。ここで、ネットワーク３００は、連数取得装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２５】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。記憶部１０６は、係数マスタ１０６ａと、在庫ファイル１０６ｂと、単価マスタ１０６ｃとを備えている。
【００２６】
係数マスタ１０６ａは、連数計算に用いる、商品のサイズに対するサイズ係数を設定したマスタである。ここで、サイズは、商品の厚み、幅、および／または、長さであってもよい。また、サイズ係数は、商品の厚みに対する厚み係数、商品の長さに対する長さ係数、および／または、各商品の重量の重量係数（品種係数）等を含んでいてもよい。ここで、厚み係数は、「商品の厚み（μｍ）／２０」であってもよい。また、長さ係数は、「商品の長さ（ｍ）／５００」であってもよい。
【００２７】
ここで、図２から図４を参照して、本実施形態におけるサイズ係数の一例について説明する。図２は、本実施形態における厚み係数の一例を示す図である。図３は、本実施形態における長さ係数の一例を示す図である。図４は、本実施形態における品種係数の一例を示す図である。
【００２８】
図２に示すように、本実施形態における係数マスタ１０６ａにおいては、商品の厚みに対する厚み係数として、「商品の厚み（μｍ）／２０」が設定されていてもよい。また、図３に示すように、本実施形態における係数マスタ１０６ａにおいては、商品の長さに対する長さ係数として、「商品の長さ（ｍ）／５００」が設定されていてもよい。また、図４に示すように、本実施形態における係数マスタ１０６ａにおいては、各商品（タイプ）の重量の重量係数として、各商品固有の品種係数が設定されていてもよい。
【００２９】
図１に戻り、在庫ファイル１０６ｂは、商品のサイズを含む商品の在庫データを記憶する。ここで、在庫データは、商品名称（品種名称）、商品コード（品種コード）、および／または、在庫数量（商品の取引単位での在庫数等）等を含んでいてもよい。
【００３０】
単価マスタ１０６ｃは、商品毎の売上単価を設定したマスタである。ここで、単価マスタ１０６ｃは、商品名称（品種名称）、商品コード（品種コード）、および／または、税率等を記憶していてもよい。
【００３１】
入出力インターフェース部１０８には、入力装置１１２および出力装置１１４が接続されている。出力装置１１４には、モニタ（タッチパネルを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４またはプリンタ１１４とし、入力装置１１２をキーボード１１２またはマウス１１２として記載する場合がある。
【００３２】
制御部１０２は、連数取得装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、サイズ表示部１０２ａと、受注取得部１０２ｂと、連数取得部１０２ｃと、金額取得部１０２ｄと、重量取得部１０２ｅと、売上表示部１０２ｆとを備えている。
【００３３】
サイズ表示部１０２ａは、在庫データに基づいて、取引単位あたりの商品のサイズを表示させる。ここで、サイズ表示部１０２ａは、受注取得部１０２ｂにより受注データが取得された場合、在庫データに基づいて、取引単位あたりの商品のサイズを表示させてもよい。また、サイズ表示部１０２ａは、商品名称または商品コードが入力された場合、在庫データに基づいて、商品名称または商品コードに対応する商品の取引単位あたりのサイズを表示させてもよい。
【００３４】
受注取得部１０２ｂは、受注データを所得する。ここで、受注取得部１０２ｂは、商品の取引単位での受注数を含む受注データを所得してもよい。また、受注データは、商品名称（品種名称）および／または商品コード（品種コード）等を含んでいてもよい。
【００３５】
連数取得部１０２ｃは、商品の売買単位となる連数を取得する。ここで、連数取得部１０２ｃは、サイズ係数、在庫データおよび受注データに基づいて、商品の売買単位となる連数を取得してもよい。また、連数取得部１０２ｃは、幅を被除数とし、１０００を除数とした場合の商に、厚み係数、長さ係数および受注数を全て乗じた積を、商品の売買単位となる連数として取得してもよい。
【００３６】
金額取得部１０２ｄは、商品の売上金額を取得する。ここで、金額取得部１０２ｄは、売上単価に連数を乗じた値を、商品の売上金額として取得してもよい。
【００３７】
重量取得部１０２ｅは、商品の重量を取得する。ここで、重量取得部１０２ｅは、品種係数に連数を乗じた値を、商品の重量として取得してもよい。
【００３８】
売上表示部１０２ｆは、売上データを表示させる。ここで、売上表示部１０２ｆは、連数を含む商品の売上データを表示させてもよい。また、売上データは、売上単価、売上金額、消費税額および／または商品の重量を含んでいてもよい。
【００３９】
［３．具体例］
本実施形態の具体例について、図２から図７を参照して説明する。
【００４０】
［連数取得処理］
ここで、図５を参照して、本実施形態における連数取得処理の一例について説明する。図５は、本実施形態における連数取得装置１００の処理の一例を示すフローチャートである。
【００４１】
図５に示すように、サイズ表示部１０２ａは、ユーザにより入力装置１１２を介して商品の品種コードが入力された場合、在庫ファイル１０６ｂに記憶された在庫データに基づいて、当該商品コードに対応する商品の取引単位あたりの厚みと幅と長さとを出力装置１１４に表示させる（ステップＳＡ−１）。
【００４２】
そして、サイズ表示部１０２ａは、ユーザにより入力装置１１２を介して商品の取引単位での受注数が入力された場合、当該受注数および品種コードを含む受注データを所得する（ステップＳＡ−２）。
【００４３】
そして、連数取得部１０２ｃは、係数マスタ１０６ａ、在庫ファイル１０６ｂに記憶された在庫データおよび受注データに基づいて、幅を被除数とし、１０００を除数とした場合の商に、厚み係数、長さ係数および受注数を全て乗じた積を、商品の売買単位となる連数として取得する（ステップＳＡ−３）。このように、本実施形態においては、商品の品種、厚み、幅および長さの情報をもとに、連数計算をする機能を実装している。
【００４４】
そして、金額取得部１０２ｄは、単価マスタ１０６ｃに基づいて、商品の売上単価に連数を乗じた値を、商品の売上金額として取得する（ステップＳＡ−４）。
【００４５】
そして、重量取得部１０２ｅは、係数マスタ１０６ａに基づいて、商品の品種係数に連数を乗じた値を、商品の重量として取得する（ステップＳＡ−５）。
【００４６】
そして、売上表示部１０２ｆは、連数、売上単価、売上金額、消費税額および商品の重量を含む商品の売上データを表示させ（ステップＳＡ−６）、処理を終了する。
【００４７】
ここで、図２から図４および図６を参照して、本実施形態における売上データ計算処理の一例について説明する。図６は、本実施形態における売上データの一例を示す図である。
【００４８】
図６に示すように、本実施形態においては、商品（ＨＲ６５３Ｎ）の取引単位での受注数が８、厚みが２５μｍ、幅が１０６０ｍｍ、且つ、長さが４０００ｍの場合、図２に示す厚み係数および図３に示す長さ係数に基づいて、「連数＝（幅÷１０００）×厚み係数×長さ係数×受注数」の式を用いて、（１０６０÷１０００）×１．２５×８×８＝８４．８と連数を算出している。
【００４９】
また、図６に示すように、本実施形態においては、単価マスタ１０６ｃに基づいて、「売上金額＝売上単価（円）×連数」の式を用いて、２，６００（円）×８４．８＝２２０，４８０（円）と商品の売上金額を算出している。
【００５０】
また、図６に示すように、本実施形態においては、図４に示す品種係数に基づいて、「重量＝連数×品種係数（ｋｇ）」の式を用いて、８４．８×９．２０（ｋｇ）＝７８０．１６（ｋｇ）と商品の重量を算出している。
【００５１】
また、図７を参照して、本実施形態における受注明細入力画面の一例について説明する。図７は、本実施形態における受注明細入力画面の一例を示す図である。
【００５２】
図７に示すように、本実施形態においては、ユーザにより受注明細入力画面に品種コード（１０１）が入力された場合、在庫ファイル１０６ｂに記憶された在庫データに基づいて、当該商品コードに対応する商品の取引単位あたりの厚み（３０μｍ）と幅（１０００ｍｍ）と長さ（２０００ｍ）とが表示される。なお、図７においては、在庫ファイル１０６ｂに記憶された在庫データに基づいて、品種コードをトリガーとして商品の厚み、幅および長さを表示させているが、本実施形態においては、厚み、幅および長さをユーザが入力してもよい。
【００５３】
そして、図７に示すように、本実施形態においては、ユーザにより受注明細入力画面に商品の取引単位での受注数（１０本）が入力された場合、商品の売買単位となる連数が計算され、連数（６０）、売上単価（￥２，６００）、売上金額（￥１５６，０００）、および、消費税額（￥１２，４８０）を含む商品の売上データが表示される。
【００５４】
［４．他の実施形態］
本発明は、上述した実施形態以外にも、特許請求の範囲に記載した技術的思想の範囲内において種々の異なる実施形態にて実施されてよいものである。
【００５５】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５６】
また、本明細書中や図面中で示した処理手順、制御手順、具体的名称、各処理の登録データや検索条件等のパラメータを含む情報、画面例、データベース構成については、特記する場合を除いて任意に変更することができる。
【００５７】
また、連数取得装置１００に関して、図示の各構成要素は機能概念的なものであり、必ずしも物理的に図示の如く構成されていることを要しない。
【００５８】
例えば、連数取得装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて連数取得装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５９】
また、このコンピュータプログラムは、連数取得装置１００に対して任意のネットワークを介して接続されたアプリケーションプログラムサーバに記憶されていてもよく、必要に応じてその全部または一部をダウンロードすることも可能である。
【００６０】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６１】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【００６２】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００６３】
また、連数取得装置１００は、既知のパーソナルコンピュータまたはワークステーション等の情報処理装置として構成してもよく、また、任意の周辺装置が接続された当該情報処理装置として構成してもよい。また、連数取得装置１００は、当該装置に本実施形態で説明した処理を実現させるソフトウェア（プログラムまたはデータ等を含む）を実装することにより実現してもよい。
【００６４】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６５】
本発明は、受注時に連数計算を要するフィルム業または製紙業等の業界において有用である。
【符号の説明】
【００６６】
１００  連数取得装置
１０２  制御部
１０２ａ  サイズ表示部
１０２ｂ  受注取得部
１０２ｃ  連数取得部
１０２ｄ  金額取得部
１０２ｅ  重量取得部
１０２ｆ  売上表示部
１０４  通信インターフェース部
１０６  記憶部
１０６ａ  係数マスタ
１０６ｂ  在庫ファイル
１０６ｃ  単価マスタ
１０８  入出力インターフェース部
１１２  入力装置
１１４  出力装置
２００  サーバ
３００  ネットワーク
【図１】
2019159717.tif 000003
【図２】
2019159717.tif 000004
【図３】
2019159717.tif 000005
【図４】
2019159717.tif 000006
【図５】
2019159717.tif 000007
【図６】
2019159717.tif 000008
【図７】
2019159717.tif 000009